(57)【要約】【課題】外光による影響を受けずに、連続的な凹凸賦型シートを走行させた状態で、凹凸賦型シートで反射された光の輝度を正確に測定すること。【解決手段】凹凸賦型シート９２の輝度測定装置１０は、凹凸賦型シート９２を搬入するための搬入口１１ａと、凹凸賦型シート９２を搬出するための搬出口１１ｂとを有し、外光を遮光する遮光筐体１１と、少なくとも遮光筐体１１内で凹凸賦型シート９２を搬送するシート搬送部と、を備える。凹凸賦型シート９２の輝度測定装置１０は、遮光筐体１１内で搬送される凹凸賦型シート９２に光を照射する発光部１６と、発光部１６から照射された光のうち凹凸賦型シート９２で反射された光を受光する受光部１７も備える。凹凸賦型シート９２の輝度測定装置１０は、受光部１７で受光された光の強度によって輝度を測定する。【選択図】図１
2014016316.tif 000002
【特許請求の範囲】
【請求項１】
凹凸賦型シートを搬入するための搬入口と、前記凹凸賦型シートを搬出するための搬出口とを有し、外光を遮光する遮光筐体と、
少なくとも前記遮光筐体内で前記凹凸賦型シートを搬送するシート搬送部と、
前記遮光筐体内で搬送される前記凹凸賦型シートに光を照射する発光部と、
前記発光部から照射された光のうち前記凹凸賦型シートで反射された光を受光する受光部と、を備え、
前記受光部で受光された光の強度によって輝度を測定することを特徴とする凹凸賦型シートの輝度測定装置。
【請求項２】
前記遮光筐体内に設けられ、前記搬入口及び前記搬出口からの外光を遮光する遮光板をさらに備え、
前記シート搬送部は、少なくとも前記遮光板の前記搬入口及び前記搬出口の反対側で前記凹凸賦型シートを搬送し、
前記発光部は、前記遮光板の前記搬入口及び前記搬出口の反対側で搬送される前記凹凸賦型シートに対して光を照射し、
前記受光部は、前記凹凸賦型シートで反射された光を、前記遮光板の前記搬入口及び前記搬出口の反対側で受光することを特徴とする請求項１に記載の凹凸賦型シートの輝度測定装置。
【請求項３】
前記シート搬送部で搬送される前記凹凸賦型シートの搬送方向の位置情報を検出する位置情報検出部と、
前記位置情報検出部で検出された前記凹凸賦型シートの搬送方向の位置情報と、前記受光部で受光された光の強度によって測定された輝度に関する情報とを関連づけて記録する記録部と、
をさらに備えたことを特徴とする請求項１又は２のいずれかに記載の凹凸賦型シートの輝度測定装置。
【請求項４】
前記発光部から照射される光を拡散反射して、前記凹凸賦型シートに照射する積分球をさらに備えたことを特徴とする請求項１乃至３のいずれか１項に記載の凹凸賦型シートの輝度測定装置。
【請求項５】
前記受光部で受光された光の強度によって測定された輝度を表示する表示部をさらに備えたことを特徴とする請求項１乃至４のいずれか１項に記載の凹凸賦型シートの輝度測定装置。
【請求項６】
原反シートを供給する原反供給部と、
前記原反供給部から供給された原反シートに凹凸を形成して凹凸賦型シートを生成する凹凸形成部と、
前記凹凸賦型シートに光を照射し、当該凹凸賦型シートで反射された光の輝度を測定する輝度測定装置と、
前記輝度測定装置を経た前記凹凸賦型シートを回収する原反回収部と、を備え、
前記輝度測定装置は、
前記凹凸賦型シートを搬入するための搬入口と、前記凹凸賦型シートを搬出するための搬出口とを有し、外光を遮光する遮光筐体と、
少なくとも前記遮光筐体内で前記凹凸賦型シートを搬送するシート搬送部と、
前記遮光筐体内で搬送される前記凹凸賦型シートに光を照射する発光部と、
前記発光部から照射された光のうち前記凹凸賦型シートで反射された光を受光する受光部と、を有し、
前記受光部で受光された光の強度によって輝度を測定することを特徴とする凹凸賦型シート生産機。
【発明の詳細な説明】
【技術分野】
【０００１】
本発明は、凹凸賦型シートに光を照射する発光部と、凹凸賦型シートで反射された光を受光する受光部とを備え、凹凸賦型シートで反射された光の輝度を測定する輝度測定装置と、このような輝度測定装置を備えた凹凸賦型シート生産機に関する。
【背景技術】
【０００２】
従来から、測定対象物に所定の入射角で光を照射する光源と、光のうち測定対象物より互いに異なる反射角で反射した複数の成分をそれぞれ検出する複数の受光手段と、光強度測定手段の測定した光の強度および受光手段の検出した光の強度に基づいて測定対象物の反射特性の良否を判定する判定手段とを具備する検査装置が知られている（特許文献１参照）。なお、特許文献１では、光散乱性を有する測定対象物の明るさを示す指標として拡散反射率が挙げられている。
【０００３】
このような従来技術では、測定時には基本的に測定装置と測定対象物を密着させて、周辺環境由来の外光が輝度計に入射するのを防ぐ必要がある。このため、このような従来技術を、連続的に走行するシートに凹凸を賦型する装置に適用することは非常に困難である。
【０００４】
また仮に適用したとしても、周辺環境由来の外光が輝度計にどうしても入射してしまい、凹凸形状に関する情報を正確に得ることは非常に困難である。この点、シートの移動を定期的に停止して測定装置で測定することも考えられるが、このような手法では生産能率が低下してしまう。
【先行技術文献】
【特許文献】
【０００５】
【特許文献１】特開２００３−２８７５５号公報
【発明の概要】
【発明が解決しようとする課題】
【０００６】
以上のような点に鑑み、本発明は、外光による影響を受けずに、連続的な凹凸賦型シートを走行させた状態で、凹凸賦型シートで反射された光の輝度を正確に測定することができる輝度測定装置と、このような輝度測定装置を備えた凹凸賦型シート生産機を提供する。
【課題を解決するための手段】
【０００７】
本発明による輝度測定装置は、
凹凸賦型シートを搬入するための搬入口と、前記凹凸賦型シートを搬出するための搬出口とを有し、外光を遮光する遮光筐体と、
少なくとも前記遮光筐体内で前記凹凸賦型シートを搬送するシート搬送部と、
前記遮光筐体内で搬送される前記凹凸賦型シートに光を照射する発光部と、
前記発光部から照射された光のうち前記凹凸賦型シートで反射された光を受光する受光部と、を備え、
前記受光部で受光された光の強度によって輝度を測定する。
【０００８】
本発明による輝度測定装置は、
前記遮光筐体内に設けられ、前記搬入口及び前記搬出口からの外光を遮光する遮光板をさらに備え、
前記シート搬送部が、少なくとも前記遮光板の前記搬入口及び前記搬出口の反対側で前記凹凸賦型シートを搬送し、
前記発光部が、前記遮光板の前記搬入口及び前記搬出口の反対側で搬送される前記凹凸賦型シートに対して光を照射し、
前記受光部が、前記凹凸賦型シートで反射された光を、前記遮光板の前記搬入口及び前記搬出口の反対側で受光してもよい。
【０００９】
本発明による輝度測定装置は、
前記シート搬送部で搬送される前記凹凸賦型シートの搬送方向の位置情報を検出する位置情報検出部と、
前記位置情報検出部で検出された前記凹凸賦型シートの搬送方向の位置情報と、前記受光部で受光された光の強度によって測定された輝度に関する情報とを関連づけて記録する記録部と、
をさらに備えてもよい。
【００１０】
本発明による輝度測定装置は、
前記発光部から照射される光を拡散反射して、前記凹凸賦型シートに照射する積分球をさらに備えてもよい。
【００１１】
本発明による輝度測定装置は、
前記受光部で受光された光の強度によって測定された輝度を表示する表示部をさらに備えてもよい。
【００１２】
本発明による凹凸賦型シート生産機は、
原反シートを供給する原反供給部と、
前記原反供給部から供給された原反シートに凹凸を形成して凹凸賦型シートを生成する凹凸形成部と、
前記凹凸賦型シートに光を照射し、当該凹凸賦型シートで反射された光の輝度を測定する輝度測定装置と、
前記輝度測定装置を経た前記凹凸賦型シートを回収する原反回収部と、を備え、
前記輝度測定装置が、
前記凹凸賦型シートを搬入するための搬入口と、前記凹凸賦型シートを搬出するための搬出口とを有し、外光を遮光する遮光筐体と、
少なくとも前記遮光筐体内で前記凹凸賦型シートを搬送するシート搬送部と、
前記遮光筐体内で搬送される前記凹凸賦型シートに光を照射する発光部と、
前記発光部から照射された光のうち前記凹凸賦型シートで反射された光を受光する受光部と、を有し、
前記受光部で受光された光の強度によって輝度を測定する。
【発明の効果】
【００１３】
本発明によれば、外光を遮光する遮光筐体が設けられ、当該遮光筐体内で凹凸賦型シートが搬送される。そして、遮光筐体内で搬送される凹凸賦型シートに対して光が照射され、凹凸賦型シートで反射された光が遮光筐体内で受光されることで輝度を測定することができる。このため、本発明によれば、外光による影響を受けずに、連続的な凹凸賦型シートを走行させた状態で、凹凸賦型シートで反射された光の輝度を正確に測定することができる。
【図面の簡単な説明】
【００１４】
【図１】図１は、本発明の実施の形態による凹凸賦型シート生産機の構成を示した概略構成図である。
【図２】図２は、本発明の実施の形態で用いられる輝度測定装置の構成を示した概略斜視図である。
【図３】図３は、本発明の実施の形態の変形例で用いられる輝度測定装置の構成を示した概略構成図である。
【図４】図４は、本発明の実施の形態の別の変形例による凹凸賦型シート生産機の構成を示した概略構成図である。
【発明を実施するための形態】
【００１５】
実施の形態
《構成》
以下、本発明に係る凹凸賦型シート生産機及び輝度測定装置の実施の形態について、図面を参照して説明する。ここで、図１乃至図４は本発明の実施の形態を説明するための図である。図１は、本実施の形態による凹凸賦型シート生産機の構成を示した概略構成図であり、図２は、本実施の形態で用いられる輝度測定装置の構成を示した概略斜視図である。
【００１６】
図１に示すように、本実施の形態の凹凸賦型シート生産機は、紙やフィルム等の原反シート９１を繰り出して供給する原反供給部６０と、原反供給部６０から供給された原反シート９１に凹凸を形成して凹凸賦型シート９２を生成する凹凸形成部７０と、凹凸賦型シート９２に光を照射し、凹凸賦型シート９２で反射された光の輝度を測定する輝度測定装置１０と、輝度測定装置１０を経た凹凸賦型シート９２を巻き取って回収する原反回収部８０と、を備えている。なお、本実施の形態の輝度測定装置１０は、このように、凹凸賦型シート９２の品質を輝度（cd／m２）を用いて評価するものである。
【００１７】
凹凸形成部７０は、表面に凹凸の形成された版胴７１と、当該版胴７１に対向して設けられゴム等の弾性材料で表面が形成された圧胴７２とを有する。なお、版胴７１に形成された凹凸は、原反シート９１に賦型すべき凹凸形状のオスとメスが逆になったパターンになっている。そして、版胴７１と圧胴７２の間で原反シート９１が挟持されて圧力と熱が原反シート９１に加えられることで、版胴７１の凹凸の形状に対応した凹凸が原反シート９１に形成されて、凹凸賦型シート９２が生成されることとなる。ところで、原反シート９１に加えられる熱は誘導加熱（Induction Heating）等によって与えられ、原反シート９１に加えられる圧力はエアシリンダ等によって与えられる。
【００１８】
図１及び図２に示すように、輝度測定装置１０は、凹凸賦型シート９２を搬入するための搬入口１１ａと、凹凸賦型シート９２を搬出するための搬出口１１ｂとを有し、外光を遮光する遮光筐体１１と、遮光筐体１１の内部と遮光筐体１１の外部の両方で凹凸賦型シート９２を搬送するシート搬送部と、遮光筐体１１内で搬送される凹凸賦型シート９２に光を照射する発光部１６と、発光部１６から照射された光のうち凹凸賦型シート９２で反射された光を受光する受光部１７と、を有している。なお、本実施の形態では、発光部１６と受光部１７の各々は、凹凸賦型シート９２の表面側（凹凸形状の形成された面側）に配置されている。
【００１９】
本実施の形態では、受光部１７が輝度計となっており、受光部１７で受光された光の強度によって輝度を測定することができるようになっている。なお、本実施の形態では、受光部１７が輝度計となっている態様を用いて説明するが、これに限られることはなく、受光部に輝度測定部（図示せず）が電気的に接続され、受光部で受光された光の強度に関する情報が輝度測定部に送られ、当該輝度測定部で光の輝度が測定されるようになってもよい。
【００２０】
本実施の形態のシート搬送部は、原反シート９１及び凹凸賦型シート９２を案内する複数のガイドロール５０を有している。そして、本実施の形態では、原反シート９１及び凹凸賦型シート９２を搬送するための駆動力を付与する原反供給部６０及び原反回収部８０と、原反シート９１及び凹凸賦型シート９２を搬送する複数のガイドロール５０によって、シート搬送部が構成されている。
【００２１】
本実施の形態の遮光筐体１１内には、搬入口１１ａ及び搬出口１１ｂからの外光を遮光する遮光板１２が設けられている。具体的には、遮光筐体１１内で搬入口１１ａ及び搬出口１１ｂに対向する位置に遮光板１２が設けられ、搬入口１１ａから搬入された凹凸賦型シート９２は、ガイドロール５０によって、遮光板１２の搬入口１１ａ及び搬出口１１ｂと反対側（図１の右側）に案内されて搬送されるようになっている。そして、遮光板１２の搬入口１１ａ及び搬出口１１ｂと反対側（図１の右側）で搬送される凹凸賦型シート９２に対して、発光部１６から光が照射され、凹凸賦型シート９２で反射された光が遮光板１２の搬入口１１ａ及び搬出口１１ｂの反対側（図１の右側）において受光部１７で受光されることとなる。このように発光部１６から光が照射された後の凹凸賦型シート９２は、ガイドロール５０によって、遮光板１２の搬入口１１ａ及び搬出口１１ｂ側（図１の左側）に案内されて搬送され、搬出口１１ｂから遮光筐体１１の外部に搬出される。
【００２２】
本実施の形態では、シート搬送部で搬送される凹凸賦型シート９２の搬送方向の位置情報を検出する位置情報検出部（例えばヤールメータ）４０が設けられている。この位置情報検出部４０と受光部１７には記録部２０が電気的に接続されており、位置情報検出部４０で検出された凹凸賦型シート９２の搬送方向の位置情報と、受光部１７で受光された光の強度によって測定された輝度に関する情報は、随時、記録部２０で互いに関連づけて記録される。なお、位置情報検出部４０としてヤールメータを用いた場合には、原反回収部８０で回収され始めた地点を「０」とした凹凸賦型シート９２の積算長さを測定することができる。
【００２３】
本実施の形態では、遮光筐体１１内に、発光部１６から照射される光を拡散反射して、凹凸賦型シート９２に照射する積分球１９が設けられている。より具体的には、積分球１９の上面に発光部１６が設けられ、積分球１９の側面（図１では右側側面）に受光部１７が設けられている。なお、水平面に対して受光部１７と面対称の位置には、受光部１７に対応したトラップ１８が設けられ、（トラップ１８が設けられない場合に）積分球１９の内面で反射する余分な光が受光部１７で受光されないようになっている。
【００２４】
また、本実施の形態では、受光部１７に、受光部１７で受光された光の強度によって測定された輝度や記録部２０で記録された情報等を表示する表示部３０が接続されている。なお、上述した記録部２０は、当該表示部３０を介して受光部１７に接続されている。
【００２５】
なお、本実施の形態では、搬入口１１ａと搬出口１１ｂが遮光筐体１１の異なる位置に設けられているが、これに限られることはなく、搬入口１１ａと搬出口１１ｂが同じ箇所に設けられ、一つの開口が搬入口１１ａと搬出口１１ｂの両方の機能を兼ねてもよい。
【００２６】
《作用・効果》
次に、上述した構成からなる本実施の形態による作用・効果について説明する。
【００２７】
本実施の形態によれば、外光を遮光する遮光筐体１１が設けられ、当該遮光筐体１１内で凹凸賦型シート９２が搬送される。そして、遮光筐体１１内で搬送される凹凸賦型シート９２に対して光が照射され、凹凸賦型シート９２で反射された光が遮光筐体１１内で受光されることで輝度を測定することができる。このため、本実施の形態では、外光による影響を受けずに、連続的な凹凸賦型シート９２を走行させた状態で、凹凸賦型シート９２で反射された光の輝度を正確に測定することができ、ひいては、凹凸賦型シート９２の凹凸形状に関する情報を正確に得ることができる。
【００２８】
すなわち、特許文献１に記載されているような従来技術を用いる場合には、凹凸賦型シート９２と測定装置の間を密着させることが必要となるが、このような従来技術を、連続的に走行するシートに凹凸を賦型する装置に適用することは非常に困難である。また、仮に適用したとしても、周辺環境由来の外光が輝度計にどうしても入射してしまい、凹凸賦型シート９２の凹凸形状に関する情報を正確に得ることは非常に困難である。この点、凹凸賦型シート９２の移動を定期的に停止して測定装置で測定することも考えらえるが、このような手法では生産能率が低下してしまう。
【００２９】
これに対して、本実施の形態によれば、上述したような構成を採用することで、外光による影響を受けずに、連続的な凹凸賦型シート９２を停止させることなく走行させながら、凹凸賦型シート９２で反射された光の輝度を測定することができる。このため、本実施の形態によれば、生産能率を下げることなく、凹凸賦型シート９２で反射された光の輝度を正確に測定することができる。
【００３０】
また、本実施の形態では、遮光筐体１１内で搬入口１１ａ及び搬出口１１ｂに対向する位置に遮光板１２が設けられ、搬入口１１ａから搬入された凹凸賦型シート９２が、ガイドロール５０によって、遮光板１２の搬入口１１ａ及び搬出口１１ｂと反対側（図１の右側）に案内されて搬送されるようになっている。そして、遮光板１２の搬入口１１ａ及び搬出口１１ｂと反対側（図１の右側）で搬送される凹凸賦型シート９２に対して発光部１６から光が照射され、凹凸賦型シート９２で反射された光が、遮光板１２の搬入口１１ａ及び搬出口１１ｂと反対側（図１の右側）において受光部１７で受光されることとなる。このため、本実施の形態によれば、搬入口１１ａ及び搬出口１１ｂから遮光筐体１１内に入り込む外光による影響をより確実に防止することができ、凹凸賦型シート９２で反射された光の輝度をより正確に測定することができる。
【００３１】
なお、例えば図３に示すように、搬入口１１ａ及び搬出口１１ｂから入り込む外光による影響を受けにくい形状の遮光筐体１１を用いる場合であれば、このような遮光板１２は必ずしも必要ではない。但し、図３に示すような態様であっても、遮光板１２が設けられれば、より確実に外光による影響を遮断することができるので、遮光板１２を設けても当然よい。
【００３２】
また、本実施の形態では、シート搬送部で搬送される凹凸賦型シート９２の搬送方向の位置情報がヤールメータ等の位置情報検出部４０で検出され、このようにして検出された凹凸賦型シート９２の搬送方向の位置情報と、受光部１７で受光された光の輝度に関する情報とが関連づけて記録部２０で記録される。このため、凹凸賦型シート９２を生産している際の、凹凸賦型シート９２の搬送方向の位置に対応した輝度の変動を随時記録することができる。したがって、測定された輝度が基準値を下回って不良であると判断された場合において、原反回収部８０で巻取られた凹凸賦型シート９２のどの部分が不良箇所であるのか、後からでも把握することができる。
【００３３】
また、本実施の形態では積分球１９が用いられていることから、発光部１６から照射される光を拡散反射して凹凸賦型シート９２に照射することができ、安定した光を凹凸賦型シート９２に照射することができる。このため、より一層、凹凸賦型シート９２で反射された光の輝度を正確に測定することができる。
【００３４】
なお、このような積分球１９がなくても、もちろん凹凸賦型シート９２で反射された光の輝度を正確に測定することができる。このため、図４に示すように、積分球１９を利用しない態様を用いることもできる。但し、積分球１９を用いた方が、より安定した光を凹凸賦型シート９２に照射することができる点で優れている。
【００３５】
また、本実施の形態では、受光部１７で受光された光の強度によって測定された輝度を表示する表示部３０が設けられている。このため、測定者は、凹凸賦型シート９２で反射された光の輝度を一目で確認することができ、凹凸賦型シート９２で反射された光の輝度の測定を容易に行うことができる。
【００３６】
また、表示部３０には、記録部２０で記録された、凹凸賦型シート９２の搬送方向の位置情報に関連づけられた、受光部１７で受光された光の輝度に関する情報を表示することができる。このため、上述したように測定された輝度が基準値を下回って不良であると判断された場合において、原反回収部８０で巻取られた凹凸賦型シート９２のどの部分が不良箇所であるのか、測定者は容易に把握することができる。
【００３７】
最後になったが、上述した実施の形態の記載及び図面の開示は、特許請求の範囲に記載された発明を説明するための一例に過ぎず、上述した実施の形態の記載又は図面の開示によって特許請求の範囲に記載された発明が限定されることはない。
【符号の説明】
【００３８】
１１        遮光筐体
１１ａ      搬入口
１１ｂ      搬出口
１２        遮光板
１６        発光部
１７        受光部
１９        積分球
２０        記録部
３０        表示部
４０        位置情報検出部
６０        原反供給部
７０        凹凸形成部
７１        版胴
７２        圧胴
８０        原反回収部
９１        原反シート
９２        凹凸賦型シート
【図１】
2014016316.tif 000003
【図２】
2014016316.tif 000004
【図３】
2014016316.tif 000005
【図４】
2014016316.tif 000006